(57)【要約】【課題】音楽の発売日や季節キーワードにちなんだ楽曲の再生を、処理負荷の重い全検索処理を行うことなく短時間で開始できるようにする。【解決手段】ＴＯＣ情報に基づいてＣＤ５０の発売日をＣＤＤＢ５から取得するＣＤ情報取得部１２と、当該発売日を基準としたプレイリスト２２を作成して記録するプレイリスト記録部１４とを設け、ＣＤ５０のハードディスク６への録音時にプレイリスト２２を作成して記録するようにすることにより、例えば発表年が同じ楽曲を選択的に再生することを希望する場合にも、録音時にあらかじめ作成されているプレイリスト２２を選択することによって当該再生を実現できるようにして、再生開始時にハードディスク６上をスキャンして全検索処理する必要をなくす。【選択図】        図１
2005044391.tif 000002
【特許請求の範囲】
【請求項１】
記録媒体に録音した楽曲をプレイリストに基づいて再生する機能を有するオーディオ記録再生装置であって、
オーディオ記録媒体の曲データを上記記録媒体に録音するときに、上記オーディオ記録媒体の発売日または発表年を含む楽曲情報を取得する楽曲情報取得手段と、
上記楽曲情報取得手段により取得された楽曲情報に基づいて、上記発売日または発表年を基準としたプレイリストを作成して記録するプレイリスト記録手段とを備えたことを特徴とするプレイリストを用いたオーディオ記録再生装置。
【請求項２】
所定のキーワードとカレンダとを対応付けたテーブル情報を記憶する対応テーブル記憶手段を備え、
上記楽曲情報取得手段は、録音対象となる曲データの曲名およびアルバム名の少なくとも一の楽曲情報を更に取得し、
上記プレイリスト記録手段は、上記楽曲情報取得手段により取得された曲名またはアルバム名に基づいて、上記テーブル情報を参照して、上記キーワードが含まれる楽曲を上記カレンダの月別に集めたプレイリストを作成して記録することを特徴とする請求項１に記載のプレイリストを用いたオーディオ記録再生装置。
【請求項３】
記録媒体に録音した楽曲をプレイリストに基づいて再生する機能を有するオーディオ記録再生装置であって、
所定のキーワードとカレンダとを対応付けたテーブル情報を記憶する対応テーブル記憶手段と、
上記記録媒体に曲データを録音するときに、録音対象となる曲データの曲名およびアルバム名の少なくとも一の楽曲情報を取得する楽曲情報取得手段と、
上記楽曲情報取得手段により取得された曲名またはアルバム名に基づいて、上記テーブル情報を参照して、上記キーワードが含まれる楽曲を上記カレンダの月別に集めたプレイリストを作成して記録するプレイリスト記録手段とを備えたことを特徴とするプレイリストを用いたオーディオ記録再生装置。
【請求項４】
上記プレイリスト記録手段により記録された１以上のプレイリストの中からユーザが所望のものを選択可能とするためのユーザインタフェース手段と、
上記ユーザインタフェース手段を通じて上記ユーザにより選択されたプレイリストに従って楽曲の再生を行う再生手段とを備えたことを特徴とする請求項１または３に記載のプレイリストを用いたオーディオ記録再生装置。
【請求項５】
計時動作を行う時計手段と、
上記時計手段により計時された年月に該当するプレイリストに従って楽曲の再生を行う再生手段とを備えたことを特徴とする請求項１または３に記載のプレイリストを用いたオーディオ記録再生装置。
【請求項６】
記録媒体に録音した楽曲をプレイリストに基づいて再生する機能を有するオーディオ記録再生装置において、
上記記録媒体に曲データを録音するときに、当該曲データの発売日または発表年を含む楽曲情報を取得し、当該取得した楽曲情報に基づいて、上記発売日または発表年を基準としたプレイリストを作成して記録するようにしたことを特徴とするプレイリスト作成方法。
【請求項７】
記録媒体に録音した楽曲をプレイリストに基づいて再生する機能を有するオーディオ記録再生装置において、
上記記録媒体に曲データを録音するときに、当該曲データの曲名およびアルバム名の少なくとも一の楽曲情報を取得し、所定のキーワードとカレンダとを対応付けたテーブル情報を参照して、上記曲名またはアルバム名中に上記キーワードが含まれる楽曲を上記カレンダの月別に集めたプレイリストを作成して記録するようにしたことを特徴とするプレイリスト作成方法。
【発明の詳細な説明】
【０００１】
【発明の属する技術分野】
本発明はプレイリストを用いたオーディオ記録再生装置およびプレイリスト作成方法に関し、例えば、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｋ）などのオーディオ記録媒体からハードディスクやメモリカードなどの記録媒体に録音した音楽をプレイリストに基づいて再生する機能を有する装置に用いて好適なものである。
【０００２】
【従来の技術】
近年、車室内の大きな振動や温度変化に十分耐えうるハードディスクの開発が進み、ハードディスクを搭載した車載オーディオ装置が提供されるようになってきている。この種の車載オーディオ装置によれば、ＣＤやＤＶＤなどの各種メディアに記録されているオーディオデータをハードディスクに録音することにより、複数枚のメディアを抜き差しすることなく多くの音楽を楽しむことができる。
【０００３】
このように、ハードディスクを搭載した車載オーディオ装置では、メディアの面倒な抜き差し操作をしなくても、多数曲の中から所望の曲を選択して再生することができ、この機能がユーザにとって大きな魅力となっている。ところが、ハードディスクに記録される曲数が多くなると、その中から所望の曲を探し出すのが大変になる。そこで、ハードディスクに記録されている膨大な楽曲を整理しておくことが望まれる。
【０００４】
ハードディスク搭載型の車載オーディオ装置の殆どでは、ＣＤやＤＶＤをハードディスクに録音すると、そのアルバムの収録内容を表すプレイリストが作成され、ハードディスクに記録される。ハードディスク内の曲は、このプレイリストによって整理される。再生時には、画面上に表示されたプレイリストの中からユーザが所望のプレイリストを選択することにより、ハードディスクに録音されている曲をアルバム単位で再生することができるようになっている。
【０００５】
また、ＣＤチェンジャに関する技術ではあるが、複数のＣＤに記録されている曲のアーティスト名をアルファベット順にソートしてＲＡＭに格納し、アーティスト名のアルファベット順に曲を再生したり、選択したアーティストの曲だけを再生したりすることができるようにした再生装置も提案されている（例えば、特許文献１参照）。
【０００６】
【特許文献１】
特開平１１−３１３７９号公報
【０００７】
さらに、ハードディスク搭載型の車載オーディオ装置において、ハードディスクを所定の条件で検索し、多数曲の中から検索条件にヒットする曲だけを抽出して再生することを可能とした装置も提案されている。例えば、曲データの付属情報としてＣＤの発売日や発表年の情報をハードディスクに記録しておき、ユーザが所望の発売日や発表年を指定したときに、ハードディスク上を検索して指定条件にヒットする曲を選択的に再生する機能を備えたものが存在する。
【０００８】
【発明が解決しようとする課題】
上述のハードディスク検索機能を利用すれば、プレイリストとして登録されているアルバム単位、あるいはアーティスト名単位以外の再生を行うことが可能である。しかしながら、この場合は、ハードディスク全体をスキャンして検索条件にヒットする曲を抽出する必要があり、再生開始までに多くの時間がかかってしまうという問題があった。
【０００９】
本発明は、このような問題を解決するために成されたものであり、音楽の発売日や季節キーワードにちなんだ楽曲の再生を、処理負荷の重い全検索処理を行うことなく短時間で開始できるようにすることを目的とする。
【００１０】
【課題を解決するための手段】
上記した課題を解決するために、本発明では、ハードディスクなどの記録媒体に対する曲データの録音時に、当該曲データの発売日または発表年に基づいて、発売日または発表年を基準として複数の楽曲を集めたプレイリストを作成して記録するようにしている。または、カレンダ上の月にちなんだキーワードが曲名またはアルバム名中に含まれる楽曲を集めたプレイリストを作成して記録するようにしている。
【００１１】
上記のように構成した本発明によれば、録音時にプレイリストを随時作成または更新するので、例えば発売日または発表年が同じ楽曲を選択的に再生することを希望するときにも、録音時にあらかじめ作成されているプレイリストを選択することによって当該再生を実現することができ、再生開始時にハードディスク上をスキャンして全検索処理する必要がなくなる。
【００１２】
【発明の実施の形態】
以下、本発明の一実施形態を図面に基づいて説明する。図１は、本発明を実施したオーディオ記録再生装置の構成例を示す機能ブロック図である。
【００１３】
図１に示すように、本実施形態によるオーディオ記録再生装置１００は、ＣＰＵ、ＲＯＭ、ＲＡＭなどを備えて構成されるマイクロコンピュータ（マイコン）１、操作部２、表示部３、年月日を含む現在時刻を計時するＲＴＣ（Ｒｅａｌ  Ｔｉｍｅ  Ｃｌｏｃｋ）４、ＣＤＤＢ（ＣＤ  Ｄａｔａｂａｓｅ）５、ハードディスク６、再生部７、Ｄ／Ａ変換器８、アンプ９およびスピーカ１０を備えて構成されている。
【００１４】
上記マイコン１は、その機能構成として、データ読取部１１、ＣＤ情報取得部１２、録音制御部１３、プレイリスト記録部１４、対応テーブル記憶部１５および再生制御部１６を備えている。ハードディスク６には、ＣＤ５０（本発明のオーディオ記録媒体に相当）に収録されている曲データ２１および後述するプレイリスト２２が記録される。
【００１５】
操作部２は、曲データ２１のハードディスク６への録音や、ハードディスク６に記録されている曲データ２１の再生に関する指示をユーザが行うためのユーザインタフェースである。再生時には、マイコン１の制御によって表示部３に表示されるプレイリスト２２の中から所望のものを選択する操作を行うために、操作部２が利用される。この操作部２および表示部３は、本発明のユーザインタフェース手段を構成する。
【００１６】
ＣＤＤＢ５は、各種ＣＤに収録された楽曲に関する情報（収録曲の曲名、アーティスト名、アルバム名、ジャンル、発売日または発表年など）を提供するためのデータベースである。なお、ここではＣＤＤＢ５をオーディオ記録再生装置１００自身が備える構成としているが、この例に限定されない。例えば、オーディオ記録再生装置１００の外部にＣＤＤＢ５を備え、オーディオ記録再生装置１００とＣＤＤＢ５とをインターネット等のネットワークで接続するようにしても良い。
【００１７】
データ読取部１１は、ＣＤ５０から収録曲の曲データおよびその付随情報であるＴＯＣ（Ｔａｂｌｅ  ｏｆ  Ｃｏｎｔｅｎｔｓ）情報を読み出す。ＣＤ情報取得部１２は、データ読取部１１により読み出されたＴＯＣ情報をキーとしてＣＤＤＢ５にアクセスして情報を検索し、そのＣＤ５０に関する楽曲情報（収録曲の曲名、アーティスト名、アルバム名、ジャンル、発売日または発表年など）を取得する。このＣＤ情報取得部１２は、本発明の楽曲情報取得手段に相当する。
【００１８】
録音制御部１３は、データ読取部１１によりＣＤ５０から読み取られた曲データ２１をハードディスク６に録音する制御を行う。プレイリスト記録部１４は、ＣＤ情報取得部１２によりＣＤＤＢ５から取得された楽曲情報に基づいて、発売日または発表年を基準としたプレイリスト２２を作成してハードディスク６に記録する。ここで作成するプレイリスト２２は、例えば、曲データ２１の曲名と、ハードディスク６内での曲データ２１の記録場所を表すアドレス情報とを含んで構成される。
【００１９】
このようなプレイリスト２２の記録処理は、ＣＤ５０の曲データ２１をハードディスク６に録音するときに併せて行う。すなわち、データ読取部１１によりＣＤ５０から読み取った曲データ２１を録音制御部１３がハードディスク６に録音するときに、ＣＤ情報取得部１２がＴＯＣ情報に基づいてＣＤＤＢ５を検索し、ＣＤ５０の楽曲情報（収録曲の曲名や発売日または発表年など）を取得する。そして、発売日または発表年を基準としたプレイリスト２２を作成してハードディスク６に記録する。
【００２０】
発売日または発表年を基準としたプレイリスト２２の例としては、発表年あるいは発表月が同じ楽曲を集めたプレイリストが考えられる。例えば、録音対象となるＣＤ５０の発表年が２００３年であるとして、２００３年発表用のプレイリストがハードディスク６に未だ記録されていないときには、プレイリスト記録部１４は、ＣＤ５０の収録曲を含んだプレイリストを、２００３年発表用のプレイリストとして新たに作成する。また、２００３年発表用のプレイリストがハードディスク６に既に作成されているときは、プレイリスト記録部１４は、当該２００３年発表用のプレイリスト中にＣＤ５０の収録曲を追加して内容を更新する。
【００２１】
また、発売日または発表年を基準としたプレイリスト２２の他の例として、発売日順にソートされたプレイリストを作成することが考えられる。例えば、発売日順用のプレイリストを１つ用意する。そして、ＣＤ５０をハードディスク６に録音するときに、その収録曲に関する情報を発売日順用のプレイリストに発売日順となるように並べて追加することにより、発売日順用のプレイリストの内容を更新するようにする。なお、上述した個々の発表年用のプレイリスト内に含まれる各曲を発売日順にソートするようにしても良い。
【００２２】
本実施形態で作成するプレイリスト２２は、発売日または発表年を基準としたものに限定されるものではない。例えば、曲名やアルバム名の中に、暦や季節にちなんだキーワードが含まれる曲用のプレイリストを作成するようにしても良い。このようなプレイリストを作成する際には、対応テーブル記憶部１５に記憶されているテーブル情報を利用する。
【００２３】
図２は、このテーブル情報の内容例を示す図である。図２に示すように、対応テーブル記憶部１５には、カレンダの各月と所定のキーワードとを対応付けたテーブル情報が記憶されている。プレイリスト記録部１４は、ＣＤ情報取得部１２により取得された曲名またはアルバム名の中に、図２に示すテーブル情報で管理されているキーワードが含まれているか否かを判定する。何れかのキーワードが含まれている場合には、そのキーワードに対応する月用のプレイリストに当該楽曲を追加する。例えば、曲名の中に“冬”というキーワードが含まれていた場合は、その楽曲を１月用のプレイリストに追加する。このように、各月ごとにあらかじめ定めたキーワードが含まれる楽曲を月単位で集めたプレイリストを１２個（１月〜１２月まで）作成してハードディスク６に記録することも可能である。
【００２４】
再生制御部１６は、上述の曲データ２１およびプレイリスト２２を用いて楽曲の再生制御を行う。すなわち、マイコン１の制御によって表示部８に表示された各種プレイリスト２２の中から、操作部２を用いたユーザ操作によって所望のプレイリスト２２が選択されると、そのプレイリスト２２によって指定される曲データ２１をハードディスク６から読み出して、再生部７に供給する。再生部７は、ハードディスク６から読み出された曲データ２１をデコードしてＤ／Ａ変換器８に供給する。
【００２５】
Ｄ／Ａ変換器８は、再生部７により再生されたデジタルの曲データ２１をアナログオーディオ信号に変換する。アンプ９は、Ｄ／Ａ変換器８から出力されたアナログオーディオ信号を所定レベルに増幅する。スピーカ１０は、アンプ９により増幅されたアナログオーディオ信号をもとに、再生音声を出力する。上記再生制御部１６、再生部７、Ｄ／Ａ変換器８、アンプ９およびスピーカ１０は、本発明の再生手段を構成する。
【００２６】
なお、ここではユーザが所望のプレイリスト２２を選択することによって再生を行う例について説明したが、ユーザが所望の曲を個別に選択することによって再生することも可能である。また、ＲＴＣ４により計時された現在の月に該当するプレイリスト（発売日に基づき作成された各月用のプレイリスト、あるいは、テーブル情報に基づきキーワードにちなんで作成された各月用のプレイリスト）に従って楽曲の再生を行うことも可能である。
【００２７】
次に、上記のように構成した本実施形態によるオーディオ記録再生装置１００の動作を説明する。図３は、オーディオ記録再生装置１００の録音時における動作を示すフローチャートである。
【００２８】
図３において、まず、マイコン１は、操作部２を用いたユーザ操作によりＣＤ５０の録音開始が指示されたか否かを判定する（ステップＳ１）。録音開始の指示があった場合に、マイコン１内では、データ読取部１１がＣＤ５０から収録曲の曲データ２１を順次読み取り、読み取った曲データ２１を録音制御部１３がハードディスク６に録音する（ステップＳ２）。
【００２９】
この録音動作と同時に、または録音動作の後に、ＣＤ情報取得部１２は、データ読取部１１によりＣＤ５０から読み取ったＴＯＣ情報をもとにＣＤＤＢ５にアクセスし、ＣＤ５０の楽曲情報を取得する（ステップＳ３）。そして、取得した楽曲情報をもとに、上述の発売日や発表年を基準としたプレイリスト２２、あるいはキーワードにちなんだプレイリスト２２を作成してハードディスク６に記録する（ステップＳ４）。なお、ステップＳ３およびステップＳ４の処理は、ステップＳ２の前に行っても良い。
【００３０】
以上詳しく説明したように、本実施形態では、ＣＤ５０の録音時に発売日または発表年を含む楽曲情報を取得し、当該発売日または発表年を基準としたプレイリスト２２を録音時に作成して記録しておくようにしたので、所望の発売日や発表年を指定して音楽再生したいときには、所望のプレイリストを指定すれば、当該プレイリストに従って順次再生が行われるようになる。このとき、発売日または発表年を検索条件としてハードディスク６上を全スキャンして該当する曲を探し出す必要がないので、再生指示から実際に再生が開始されるまでの時間を短くすることができる。
【００３１】
また、本実施形態では、ＣＤ５０の録音時に曲名やアルバム名を含む楽曲情報を取得し、当該曲名やアルバム名の中に各月にちなんだキーワードが含まれる曲を集めたプレイリスト２２を作成して記録しておくようにしたので、ハードディスク６上をスキャンして全検索処理をすることなく、多数曲の中から季節感のある曲を選択的に再生することができるようになる。
【００３２】
なお、ハードディスク６の全検索処理を行ったときに、当該検索により抽出された楽曲のプレイリストを作成してハードディスク６に記録しておくようにすることも考えられる。このようにすれば、次回以降はプレイリストを利用して音楽再生をすることができる。しかし、少なくとも１回目は全検索処理を行う必要がある。これに対して、上記実施形態のように録音時にプレイリストを作成するようにすれば、最初からハードディスク６の全検索処理を行う必要がないというメリットを有する。
【００３３】
なお、上記実施形態では、オーディオ記録媒体の例としてＣＤ５０を挙げて説明したが、オーディオＤＶＤなど他の記録媒体であっても良い。また、図示しないＷｅｂサーバから好みの曲（例えば、ＭＰ３（ＭＰＥＧ−１  Ａｕｄｉｏ  Ｌａｙｅｒ−３）形式の音楽ファイル）をダウンロードしてハードディスク６に録音する場合にも、上記実施形態を適用することが可能である。
【００３４】
また、上記実施形態では、ＣＤ５０の付随情報であるＴＯＣ情報をもとにＣＤＤＢ５を検索することによって楽曲情報を取得する例について説明したが、ＣＤテキストのような付属情報を含んだ音楽ＣＤであれば、ＣＤＤＢ５にアクセスしなくても、当該ＣＤテキストから直接楽曲情報を取得することが可能である。また、例えばＭＰ３形式の音楽ファイルをＷｅｂサーバからダウンロードする場合において、音楽ファイルに楽曲情報が付属していれば、当該付属情報から楽曲情報を直接取得することが可能である。
【００３５】
また、上記実施形態では、大容量記録媒体の例としてハードディスク６を用いているが、メモリカードなどの他の記録媒体を用いても良い。
【００３６】
また、以上に説明した本実施形態によるプレイリスト作成の手法は、ＤＳＰ、ソフトウェアの何れによっても実現することが可能である。例えばソフトウェアによって実現する場合、プレイリスト作成機能は、実際にはコンピュータのＣＰＵあるいはＭＰＵ、ＲＡＭ、ＲＯＭなどを備えて構成され、ＲＡＭやＲＯＭに記憶されたプログラムが動作することによって実現できる。
【００３７】
したがって、コンピュータが上記本実施形態の機能を果たすように動作させるプログラムを例えばＣＤ−ＲＯＭのような記録媒体に記録し、コンピュータに読み込ませることによって実現できるものである。上記プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、上記プログラムをインターネット等のネットワークを介してコンピュータにダウンロードすることによっても実現できる。
【００３８】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００３９】
【発明の効果】
以上説明したように本発明によれば、記録媒体への録音時に、発売日または発表年を基準としたプレイリスト、または、各月にちなんだキーワードを基準としたプレイリストを作成して記録するようにしたので、例えば発表年が同じ楽曲を選択的に再生したり、所望の月にちなんだキーワードを含む楽曲を選択的に再生したりすることを希望する場合にも、録音時にあらかじめ作成されているプレイリストを選択することによって当該再生を実現することができる。これにより、再生時に記録媒体上をスキャンして全検索処理する必要がなくなり、再生開始までの時間を大幅に短縮することができる。
【図面の簡単な説明】
【図１】本発明を実施したオーディオ記録再生装置の構成例を示す機能ブロック図である。
【図２】対応テーブル記憶部に記憶されるテーブル情報の内容例を示す図である。
【図３】本実施形態によるオーディオ記録再生装置の録音時における動作を示すフローチャートである。
【符号の説明】
１  マイコン
２  操作部
３  表示部
４  ＲＴＣ
５  ＣＤＤＢ
６  ハードディスク
７  再生部
８  Ｄ／Ａ変換器
９  アンプ
１０  スピーカ
１１  データ読取部
１２  ＣＤ情報取得部
１３  録音制御部
１４  プレイリスト記録部
１５  対応テーブル記憶部
１６  再生制御部
１００  オーディオ記録再生装置
【図１】
2005044391.tif 000003
【図２】
2005044391.tif 000004
【図３】
2005044391.tif 000005